(57)【要約】      （修正有）【課題】簡単かつ安価な構成により落下した時の破損からタブレット型端末を保護することができるとともに、長時間ゲーム等に使用すると、異常発熱のために保護機能が働いて自動的に停止することがないように、タブレット型端末の熱を効果的に放熱させることができるタブレット型端末用保護カバーを提供する。【解決手段】タブレット型端末用保護カバーは、表面にタブレット型端末の画面を露出させる大きさの開口部１３を有し側面にタブレット型端末の周囲を覆うように配置されタブレット型端末を収納保持する保護エッジ１５を有し背面にほぼタブレット型端末の背面を露出させる大きさの開口部１９を有するカバー本体５と、上記カバー本体の内部であって背面側に配置され収納されたタブレット型端末によって保持されその表面よりタブレット型端末から発生する熱を放熱させる金属板状の放熱板７と、を具備する。【選択図】図１
0003182659.tif 000002
【実用新案登録請求の範囲】
【請求項１】
表面にタブレット型端末の画面を露出させる大きさの開口部を有し側面にタブレット型端末の周囲を覆うように配置されタブレット型端末を収納保持する保護エッジを有し背面にほぼタブレット型端末の背面を露出させる大きさの開口部を有するカバー本体と、上記カバー本体の内部であって背面側に配置され収納されたタブレット型端末によって保持されその表面よりタブレット型端末から発生する熱を放熱させる金属板状の放熱板と、を具備したことを特徴とするタブレット型端末用保護カバー。
【請求項２】
前記放熱板の表面に模様、図形、文字等の意匠的外観を呈する装飾を施したことを特徴とする請求項１記載のタブレット型端末用保護カバー。
【請求項３】
前記装飾は、温度上昇により変色する塗料で塗装されたものであることを特徴とする請求項２記載のタブレット型端末用保護カバー。
【請求項４】
前記放熱板は表面に複数の条溝を形成したものであることを特徴とする請求項１記載のタブレット型端末用保護カバー。
【請求項５】
前記放熱板は表面に複数の格子溝を形成したものであることを特徴とする請求項１記載のタブレット型端末用保護カバー。
【請求項６】
前記放熱板は金属製で表面に多数のエンボス溝を形成したものであることを特徴とする請求項１記載のタブレット型端末用保護カバー。
【考案の詳細な説明】
【技術分野】
【０００１】
本考案は、タブレット型端末用の保護カバーに係り、特に、タブレット型端末を破損のおそれから保護するとともに、機能停止等の問題を引き起こさないように効果的に放熱させることができるようにしたものに関する。
【背景技術】
【０００２】
近時、スマートフォンやパッドタイプ等のいわゆるタブレット型端末が普及し、これを使用して携帯電話、ゲーム、アプリケーションソフトウェア等に使用されるようになっている。タブレット型端末は板状の筐体にコンピュータ本体としての処理能力と入力装置としてのタッチパネルやボタン、表示装置としての画面やスピーカー等を備えたものであり、外形は薄型矩形状のケース（筐体）と表面ほぼ全体のディスプレイ（画面）とからなっており、ケースを落としたりすると破損する危険があり、保護カバーを使用することが多い。
【０００３】
この保護カバーは、軟質合成樹脂製で、表面にタブレット型端末の画面を露出させる開口部を有し側面にタブレット型端末の周囲を覆うように配置されタブレット型端末を収納保持する保護エッジを有し背面は全体がカバーで構成されたものが一般的である。
【０００４】
尚、このような保護カバーに放熱効果を持たせたものとして、例えば、特許文献１に示すような放熱保護カバーがある。
【先行技術文献】
【特許文献】
【０００５】
【特許文献１】実用新案登録第３１７７９１７号公報
【考案の概要】
【考案が解決しようとする課題】
【０００６】
上記従来の構成によると次のような問題かあった。従来の保護カバーは、落下した時の破損からタブレット型端末を保護することができるが、タブレット型端末の背面に貼り付くものであるので、放熱効果については考慮されていない。このため、長時間ゲーム等に使用すると、異常発熱のために保護機能が働いて自動的に停止してしまうことがある。
【０００７】
本考案はこのような点に基づいてなされたものでその目的とするところは、簡単かつ安価な構成により落下した時の破損からタブレット型端末を保護することができるとともに、長時間ゲーム等に使用すると、異常発熱のために保護機能が働いて自動的に停止することがないように、タブレット型端末の熱を効果的に放熱させることができるタブレット型端末用保護カバーを提供することにある。
【課題を解決するための手段】
【０００８】
上記課題を解決すべく本願考案の請求項１記載のタブレット型端末用保護カバーは、表面にタブレット型端末の画面を露出させる大きさの開口部を有し側面にタブレット型端末の周囲を覆うように配置されタブレット型端末を収納保持する保護エッジを有し背面にほぼタブレット型端末の背面を露出させる大きさの開口部を有するカバー本体と、上記カバー本体の内部であって背面側に配置され収納されたタブレット型端末によって保持されその表面よりタブレット型端末から発生する熱を放熱させる金属板状の放熱板と、を具備したことを特徴とするものである。
【０００９】
また、請求項２記載のタブレット型端末用保護カバーは、請求項１記載のタブレット型端末用保護カバーにおいて、前記放熱板の表面に模様、図形、文字等の意匠的外観を呈する装飾を施したことを特徴とするものである。
【００１０】
また、請求項３記載のタブレット型端末用保護カバーは、請求項２記載のタブレット型端末用保護カバーにおいて、前記装飾は、温度上昇により変色する塗料で塗装されたものであることを特徴とするものである。
【００１１】
また、請求項４記載のタブレット型端末用保護カバーは、請求項１記載のタブレット型端末用保護カバーにおいて、前記放熱板は表面に複数の条溝を形成したものであることを特徴とするものである。
【００１２】
また、請求項５記載のタブレット型端末用保護カバーは、請求項１記載のタブレット型端末用保護カバーにおいて、前記放熱板は表面に複数の格子溝を形成したものであることを特徴とするものである。
【００１３】
また、請求項６記載のタブレット型端末用保護カバーは、請求項１記載のタブレット型端末用保護カバーにおいて、前記放熱板は金属製で表面に多数のエンボス溝を形成したものであることを特徴とするものである。
【考案の効果】
【００１４】
そして、上記手段によって以下のような効果が得られる。まず、タブレット型端末用保護カバーは、表面にタブレット型端末の画面を露出させる大きさの開口部を有し側面にタブレット型端末の周囲を覆うように配置されタブレット型端末を収納保持する保護エッジを有し背面にほぼタブレット型端末の背面を露出させる大きさの開口部を有するカバー本体と、上記カバー本体の内部であって背面側に配置され収納されたタブレット型端末によって保持されその表面よりタブレット型端末から発生する熱を放熱させる金属板状の放熱板と、を具備した構成としたから、構造が簡単で安価に提供することができ、落下した時の破損からタブレット型端末を保護することができるとともに、長時間ゲーム等に使用すると、異常発熱のために保護機能が働いて自動的に停止することがないように、タブレット型端末の熱を効果的に放熱させることができる。
【００１５】
また、前記放熱板の表面に模様、図形、文字等の意匠的外観を呈する装飾を施した場合には、放熱板のみを交換することができ、安価に好みの意匠的外観のものに変更できる。
【００１６】
また、前記装飾が、温度上昇により変色する塗料で塗装されたものである場合には、発熱時にその事実を使用者に知らせることができるようになり、ゲーム等の中断を予想できる。
【００１７】
また、前記放熱板が、表面に複数の条溝を形成したものや、表面に多数のエンボス溝を形成したものや、表面に複数の格子溝を形成したものである場合には、表面積が拡大され、一層放熱効果を向上することができる。
【図面の簡単な説明】
【００１８】
【図１】本考案の実施の形態を示す図で、タブレット型端末と放熱板と保護カバーを分解した状態を示す斜視図である。
【図２】本考案の実施の形態を示す図で、タブレット型端末用保護カバーの斜視図である。
【図３】本考案の実施の形態を示す図で、タブレット型端末を保護カバーに取り付けた状態を示す正面側の斜視図である。
【図４】本考案の実施の形態を示す図で、タブレット型端末を保護カバーに取り付けた状態を示す背面側の斜視図である。
【図５】本考案の実施の形態を示す図で、カバー本体を示す正面図である。
【図６】本考案の実施の形態を示す図で、カバー本体を示す背面図である。
【図７】本考案の実施の形態を示す図で、カバー本体を示す左側面図である。
【図８】本考案の実施の形態を示す図で、カバー本体を示す右側面図である。
【図９】本考案の実施の形態を示す図で、カバー本体を示す平面図である。
【図１０】本考案の実施の形態を示す図で、カバー本体を示す底面図である。
【図１１】本考案の実施の形態を示す図で、放熱板の正面図である。
【図１２】本考案の実施の形態を示す図で、放熱板の左側面図である。
【図１３】本考案の実施の形態を示す図で、放熱板の平面図である。
【図１４】本考案の実施の形態を示す図で、放熱板と保護カバーとタブレット型端末を分解した状態を示す断面図である。
【図１５】本考案の実施の形態を示す図で、放熱板と保護カバーとタブレット型端末を組み合わせた状態を示す断面図である。
【図１６】本考案の実施の形態を示す図で、放熱板を保護カバーに取り付けた状態を示す正面図である。
【図１７】本考案の実施の形態を示す図で、放熱板を保護カバーに取り付けた状態を示す背面図である。
【図１８】本考案の実施の形態を示す図で、放熱板を保護カバーに取り付けた状態を示す左側面図である。
【図１９】本考案の実施の形態を示す図で、放熱板を保護カバーに取り付けた状態を示す右側面図である。
【図２０】本考案の実施の形態を示す図で、放熱板を保護カバーに取り付けた状態を示す平面図である。
【図２１】本考案の実施の形態を示す図で、放熱板を保護カバーに取り付けた状態を示す底面図である。
【図２２】本考案の実施の形態を示す図で、放熱板の他の例を示す正面図である。
【図２３】本考案の実施の形態を示す図で、放熱板の他の例を示す正面図である。
【図２４】本考案の実施の形態を示す図で、保護カバーの他の例を示す正面図である。
【００１９】
以下、図１〜図２４に示す実施の形態を例にとって、本考案のタブレット型端末用保護カバー１の構成と作動態様について説明する。
本考案のタブレット型端末用保護カバー１は、タブレット型端末３を収納保持するカバー本体５と、上記カバー本体５の内部に取り付ける放熱板７と、を具備することによって基本的に構成されている。
タブレット型端末３は合成樹脂製で矩形板状の筐体を有し、表面側はほぼ全面が画面９として構成され、操作部も表面側に設けられ、背面側に電子部品やバッテリー１１等を内蔵することにより基本的に構成されている。
【００２０】
上記カバー本体５は、軟質合成樹脂製であって、好ましくは熱可塑性ポリウレタン（ＴＰＵ）が使用できる。このものは、表面にタブレット型端末３の画面を露出させる大きさの開口部１３を有する。また、側面にタブレット型端末の周囲を覆うように配置されタブレット型端末を収納保持する保護エッジ１５を有する。保護エッジ１５には、タブレット型端末３の操作に必要なボタン類や挿入口等が設けられている。更に、背面にはタブレット型端末３のカメラレンズとライトの位置に開口部１７が形成されている。また、本願考案の特徴として、背面にはほぼタブレット型端末３の背面を露出させる大きさの開口部１９が形成されている。
【００２１】
カバー本体５の形状は、図５〜１０に示した形状とする以外に、図２４に示すように、カメラレンズとライトの部分のみを開口部１７とするほか、ほぼ全体を放熱用の開口部１９とすることが可能であり、この場合にも、上記実施の形態のものと同様の作用効果を発揮することができる。
【００２２】
上記放熱板７は、一例としてアルミニウムや銅などの金属が材料として使用されており、熱電導性の良い金属材料が使用されている。また、その形状はタブレット型端末３の平面形状と同じ矩形状で厚さの薄い板状に形成されている。厚さは０．４〜３ｍｍが好適である。厚さが０．３ｍｍ以下では手を切るおそれがあり好ましくない。また、厚さが３ｍｍを越えると厚すぎて熱電導性を損なうので好ましくない。
また、タブレット型端末３のカメラレンズとライトの位置に長孔状の開口部２１を形成している。
放熱板７はタブレット型端末の平面形状と同じ矩形形状をなしているので、カバー本体５の内部に設けられた収納空間に挿入して装着するとカバー本体５の背面に密着・配置されるようになっている。
【００２３】
放熱板７は、図１１〜１３に示した矩形の薄板状とする以外に、図２２（ａ）に示すように、例えば水玉模様やキャラクター等の任意の模様７ａを付けたものとしたり、図２２（ｂ）、（ｃ）に示すように、丸形の孔７ｂを開けたり、複数の角形の孔７ｃを開けたり、模様、図形、文字等の意匠的外観を有する装飾を有する形状とすることが可能であり、本願考案の場合は、カバー本体５を交換することなく、放熱板７のみを交換することで、装飾を好みのものに変更でき安価に装飾を楽しむことができる。また、前記装飾が、４０℃程度までの温度上昇により変色する塗料で塗装されたもので形成することが可能であり、発熱時にその事実を使用者に知らせることができるようになり、例えばゲーム等の中断を予想できる。
【００２４】
また、放熱板７は、図２３（ａ）に示したように表面に複数の条溝７ｄを形成したものや、図２３（ｂ）に示したように表面に複数の格子溝７ｅを形成したものや、図２３（ｃ）に示したように、表面に多数のエンボス溝７ｆを形成したものである場合には、表面積が拡大され、放熱板７にヒートシンクのフィンと同様の機能が付与されて一層放熱効果を向上することができる。
【００２５】
次に、このようにして構成される本実施の形態によるタブレット型端末用保護カバー１の使用態様を説明する。
まず、図に示すように、カバー本体５の内部に設けられた収納空間に放熱板を挿入して装着し、カバー本体５の背面に密着・配置される。
【００２６】
次に、タブレット型端末３を放熱板７の上に載せるようにカバー本体５内に挿入し装着する。タブレット型端末３はカバー本体５内に収まり、周囲を保護エッジ１５により保持される。また、タブレット型端末３の背面は放熱板７に密着した状態となり、放熱板７の背面はカバー本体５の開口部に面した状態となり、カバー本体５の表面に露出した状態となる。
【００２７】
本実施の形態によるタブレット型端末用保護カバー１によれば、構造が簡単であり、安価に提供することができる。
また、カバー本体５によってタブレット型端末３を破損から保護することができる。
また、タブレット型端末３の背面は放熱板に直接的に密着した状態となり、放熱板の背面はカバー本体５の開口部に面した状態となるので、広い面積でカバー本体の表面に露出した状態となり、タブレット型端末が発する熱を効果的に放熱させることができる。
従って、タブレット型端末３の異常発熱を防止し、長時間にわたって機能の健全性を維持することができる。
【００２８】
尚、本考案のタブレット型端末用保護カバーは、前記の実施の形態のものに限定されず、その考案の要旨内での変更が可能である。
適用するタブレット型端末３は上記の実施の形態のものに限定されるものではなく、例えば、周縁部の下部が湾曲した形状のものにも適用できる。また、スマートフォン等のタブレット型端末３の背面が曲面になっている場合には、タブレット型端末用保護カバー及び放熱板をその形状に倣った形状とすることも可能である。また、タブレット型端末３の大きさも限定されるものではなく、小型の携帯電話サイズのものから、大型のノートパッドサイズのものまで適用可能である。
【産業上の利用可能性】
【００２９】
本考案のタブレット型端末用保護カバーは、簡単かつ安価な構成により落下した時の破損からタブレット型端末を保護することができるとともに、長時間ゲーム等に使用すると、異常発熱のために保護機能が働いて自動的に停止することがないように、タブレット型端末の熱を効果的に放熱させることができるタブレット型端末用保護カバーを提供したい場合に利用可能性を有する。
【符号の説明】
【００３０】
１  タブレット型端末用保護カバー
３  タブレット型端末
５  カバー本体
７  放熱板
７ａ  模様孔
７ｂ  孔
７ｃ  孔
７ｄ  条溝
７ｅ  格子溝
７ｆ  エンボス溝
９  画面
１１  バッテリー
１３  開口部
１５  保護エッジ
１７  開口部
１９  開口部
２１  開口部
【図１】
0003182659.tif 000003
【図２】
0003182659.tif 000004
【図３】
0003182659.tif 000005
【図４】
0003182659.tif 000006
【図５】
0003182659.tif 000007
【図６】
0003182659.tif 000008
【図７】
0003182659.tif 000009
【図８】
0003182659.tif 000010
【図９】
0003182659.tif 000011
【図１０】
0003182659.tif 000012
【図１１】
0003182659.tif 000013
【図１２】
0003182659.tif 000014
【図１３】
0003182659.tif 000015
【図１４】
0003182659.tif 000016
【図１５】
0003182659.tif 000017
【図１６】
0003182659.tif 000018
【図１７】
0003182659.tif 000019
【図１８】
0003182659.tif 000020
【図１９】
0003182659.tif 000021
【図２０】
0003182659.tif 000022
【図２１】
0003182659.tif 000023
【図２２】
0003182659.tif 000024
【図２３】
0003182659.tif 000025
【図２４】
0003182659.tif 000026